(57)【要約】      （修正有）【課題】足が前方に滑ることがなく、履き心地を改善し、安全性を高めるハイヒールを提供する。【解決手段】ハイヒール３は、少なくとも１以上の履き口４１が設けられたアッパー４と、該アッパー４を上面に接続し、かつ後端に第１凹溝５３を形成したベース板５１と、及び第２凹溝５４と第３凹溝５５が形成され該ベース板５１の前端部６１に接続する前部パッド５２とによってなるインソール５と、前端部６１と後端部６２とを具え、かつ該前端部６１が該前部パッド５２と重なり合って該インソール５の底面側に設けられる底面支持板６と、該底面支持板６の後端部６２に接続するヒール７と、を具えてなる。【選択図】図４
2015130930.tif 000002
【特許請求の範囲】
【請求項１】
少なくとも１以上の履き口が設けられたアッパーと、
該アッパーを上面に接続し、かつ後端に第１凹溝を形成したベース板と、及び第２凹溝と第３凹溝が形成され該ベース板の前端部に接続する前部パッドとによってなるインソールと、
前端部と後端部とを具え、かつ該前端部が該前部パッドと重なり合って該インソールの底面側に設けられるとともに、シャンクを有する底面支持板と、
該底面支持板の後端部に接続するヒールと、を具えてなることを特徴とするハイヒール。
【請求項２】
前記底面支持板がシャンクを埋設して射出成型によって一体に形成され、かつ足の足底弓に対応する位置に設けられることを特徴とする請求項１に記載のハイヒール。
【請求項３】
前記シャンクが金属材、もしくは複合材によってなることを特徴とする請求項１に記載のハイヒール。
【請求項４】
前記インソールの第１凹溝と、第２凹溝と、第３凹溝とに、溝の形状に合わせて形成した軟性パッドをそれぞれ設けることを特徴とする請求項１に記載のハイヒール。
【請求項５】
前記第１凹溝は、長辺が該ベース板の長手方向に沿った楕円形に近い形状を呈し、中央部を深く、かつ周囲を浅くして、該ベース板の後端の該ヒールを接続する位置に対応する位置に形成して溝前端に第１緩衝点を形成することを特徴とする請求項１に記載のハイヒール。
【請求項６】
前記第２凹溝は、長辺が該前部パッドの短手方向に沿った角丸長方形を呈し、中央部を深く、かつ周囲を浅くして該前部パッドの後端側に形成して溝前端に第２緩衝点を形成することを特徴とする請求項１に記載のハイヒール。
【請求項７】
前記第３凹溝は、長辺が該前部パッドの短手方向に沿った楕円形に近い形状を呈し、中央部を深く、かつ周囲を浅くして該前部パッドの前端側に形成して溝前端に第３緩衝点を形成することを特徴とする請求項１に記載のハイヒール。
【請求項８】
前記底面支持板の後端部に複数の固定孔を穿設し、該ヒールは上端面を連結部とし、該連結部には、該底面支持板の複数の該固定孔に対応する位置にそれぞれ凸柱を一体に形成し、該凸柱を該固定孔に挿通させて該ヒールを該底面支持板に接続することを特徴とする請求項１に記載のハイヒール。
【請求項９】
前記底面支持板は、前端部の両端を凸起させ、かつ中間を凹状に形成することによって後端部に第１凸状支持部と、第２凸状支持部と凹状支持部とを形成し、さらに該底面支持板の前端は、該凹状支持部から該第１凸状支持部と該第２凸状支持部とに向かって厚さを漸増させ、
該第１凸状支持部と該第２凸状支持部との二つの支持点、及び該凹状支持部から該シャンクに至る支持線とによって足の内側縦足弓、外側縦足弓及び横足弓に支持を与える三角形状の力学的支持を形成することを特徴とする請求項１に記載のハイヒール。
【請求項１０】
前記インソールの前端には、底面側から軟性の補助支持板を接着することを特徴とする請求項１に記載のハイヒール。
【発明の詳細な説明】
【技術分野】
【０００１】
この発明は、靴の構造に関するものであって、特に履き心地と安全性を改善したハイヒールの構造に関する。
【背景技術】
【０００２】
女性の背を高く見せるため、また女性特有の歩く風情を醸し出すため、ハイヒールが生み出された。図１、２に開示するように、従来のハイヒール１は、アッパー１１と、インソール１２と、アウトソール１３と、ヒール１４とを具えてなる。
【０００３】
アッパー１１には履き口１１１が形成され、接着、もしくは縫合などの方式でインソール１２上に接続され、アッパー１１を接続したインソール１２は、同様に接着、もしくは縫合などの方式でアウトソール１３に接続する。また、インソール１２上には軟性のパッド１２１を設ける。
【０００４】
アウトソール１３上には、金属材を短冊状にしたシャンク１３１を設ける。インソール１２をアウトソール１２に接続すると、シャンク１３１はインソール１２とアウトソール１３との間に介在する。
【０００５】
シャンク１３の踵に当たる位置には固定孔１３１１を穿設し、固定部材Ｐを固定孔１３１１に挿通させてアウトソール１３にヒール１４を接続する。ヒール１３は所定の高さを有し、ハイヒール１の踵の位置に一定の高さを具えさせる。
【０００６】
ハイヒール１を履く場合は、アッパー１１に形成された履き口１１１から足２を入れる。この場合、足２は踵２１と足底２２がインソール１２に接触して全体重を支える。よって、インソール１２は圧力を受けてアウトソール１３に押し付けられる。但し、足底弓は何ら支持をも受けていない。
【０００７】
インソール１２とアウトソール１３の前端部は、いずれも平面状を呈する。よって、従来のハイヒール１を履いた場合、足２の踵２１と足底２２が前方に滑り、かつ動きを止める何ら構造も有しない。よって、足２の傷害を容易に招く。
【０００８】
また、図３に開示するように、従来のハイヒール１は、アウトソール１３に接続したヒール１４が所定の高さを有するとともに、底面部１ａの地面Ｅに接触する部分は、底面部１ａの中央の部分に集中する。言い換えれば、ハイヒール１の底面１ａの両側面は地面Ｅとある程度の間隔が空く。このため、ハイヒール１を履いて歩く場合、ハイヒール１の底面１ａが擺動する。しかも、前述するように足底弓は何ら支持を受けていない。このため、歩く際に過大な捩じれの変形量が足底弓２３に発生し、足２の違和感を招く。甚だしくは足底弓２３の傷害を招く。
【発明の概要】
【発明が解決しようとする課題】
【０００９】
この発明は、足が前方に滑ることがなく、履き心地を改善し、安全性を高めるハイヒールを提供することを課題とする。
【課題を解決するための手段】
【００１０】
そこで、本発明者はハイヒールにみられる欠点に鑑み鋭意研究を重ねた結果、アッパーと、インソールと、底面支持板と、ヒールとを具えてなり、該アッパーに少なくとも１以上の履き口が設けられ、該インソール上に該アッパーを接続し、かつ該インソールが後端に第１凹溝を形成したベース板と、及び第２凹溝と第３凹溝が形成され該ベース板の前端部に接続する前部パッドとによってなり、該底面支持板が前端部と後端部とを具え、かつ該前端部が該前部パッドと重なり合って該インソールの底面側に設けられ、該ヒールが該底面支持板の後端部に接続するハイヒールによって欠点を改善できる点に着眼し、係る知見に基づいて本発明を完成させた。
【００１１】
以下この発明について具体的に説明する。
請求項１に記載するハイヒールは、
少なくとも１以上の履き口が設けられたアッパーと、
該アッパーを上面に接続し、かつ後端に第１凹溝を形成したベース板と、及び第２凹溝と第３凹溝が形成され該ベース板の前端部に接続する前部パッドとによってなるインソールと、
前端部と後端部とを具え、かつ該前端部が該前部パッドと重なり合って該インソールの底面側に設けられるとともに、シャンクを有する底面支持板と、
該底面支持板の後端部に接続するヒールと、を具えてなる。
【００１２】
請求項２に記載するハイヒールは、請求項１における底面支持板がシャンクを埋設して射出成型によって一体に形成され、かつ足の足底弓に対応する位置に設けられる。
【００１３】
請求項３に記載するハイヒールは、請求項１におけるシャンクが金属材、もしくは複合材によってなる。
【００１４】
請求項４に記載するハイヒールは、請求項１におけるインソールの第１凹溝と、第２凹溝と、第３凹溝とに、溝の形状に合わせて形成した軟性パッドをそれぞれ設ける。
【００１５】
請求項５に記載するハイヒールは、請求項１における第１凹溝の長辺が該ベース板の長手方向に沿った楕円形に近い形状を呈し、中央部を深く、かつ周囲を浅くして、該ベース板の後端の該ヒールを接続する位置に対応する位置に形成して溝前端に第１緩衝点を形成する。
【００１６】
請求項６に記載するハイヒールは、請求項１における第２凹溝の長辺が該前部パッドの短手方向に沿った角丸長方形を呈し、中央部を深く、かつ周囲を浅くして該前部パッドの後端側に形成して溝前端に第２緩衝点を形成する。
【００１７】
請求項７に記載するハイヒールは、請求項１における第３凹溝の長辺が該前部パッドの短手方向に沿った楕円形に近い形状を呈し、中央部を深く、かつ周囲を浅くして該前部パッドの前端側に形成して溝前端に第３緩衝点を形成する。
【００１８】
請求項８に記載するハイヒールは、請求項１における底面支持板の後端部に複数の固定孔を穿設し、該ヒールは上端面を連結部とし、該連結部には、該底面支持板の複数の該固定孔に対応する位置にそれぞれ凸柱を一体に形成し、該凸柱を該固定孔に挿通させて該ヒールを該底面支持板に接続する。
【００１９】
請求項９に記載するハイヒールは、請求項１における底面支持板が、前端部の両端を凸起させ、かつ中間を凹状に形成することによって後端部に第１凸状支持部と、第２凸状支持部と凹状支持部とを形成し、さらに該底面支持板の前端は、該凹状支持部から該第１凸状支持部と該第２凸状支持部とに向かって厚さを漸増させ、
該第１凸状支持部と該第２凸状支持部との二つの支持点、及び該凹状支持部から該シャンクに至る支持線とによって足の内側縦足弓、外側縦足弓及び横足弓に支持を与える三角形状の力学的支持を形成する。
【００２０】
請求項１０に記載するハイヒールは、請求項１におけるインソールの前端に、底面側から軟性の補助支持板を接着する。
【図面の簡単な説明】
【００２１】
【図１】従来のハイヒールの構造と使用態様を示した説明図である。
【図２】図１に開示するハイヒールの一部分解図である。
【図３】図１に開示するハイヒールの使用状態を示した説明図である。
【図４】この発明によるハイヒールの構造を示した断面図である。
【図５】この発明における底面支持板の構造を示した説明図である。
【図６】底面側から見た底面支持板の斜視図である。
【図７】この発明におけるインソールとヒールを示した説明図である。
【図８】この発明によるハイヒールの使用態様を示した説明図である。
【図９】この発明によるハイヒールが地面に接触した状態を示した説明図である。
【発明を実施するための形態】
【００２２】
この発明は、足が前方に滑ることがなく、履き心地を改善し、安全性を高めるハイヒールを提供するものであって、  少なくとも１以上の履き口が設けられたアッパーと、該アッパーを上面に接続し、かつ後端に第１凹溝を形成したベース板と、及び第２凹溝と第３凹溝が形成され該ベース板の前端部に接続する前部パッドとによってなるインソールと、前端部と後端部とを具え、かつ該前端部が該前部パッドと重なり合って該インソールの底面側に設けられる底面支持板と、該底面支持板の後端部に接続するヒールと、を具えてなる。係るハイヒールの構造と特徴を説明するために、具体的な実施例を挙げ、図面を参照にして以下に詳述する。
【実施例】
【００２３】
図４、５に、この発明によるハイヒール３を開示する。図面によれば、ハイヒール３はアッパー４と、インソール５と、底面支持板６と、ヒール７とを具えてなる。
【００２４】
アッパー４には履き口４１が形成され、かつ接着、もしくは縫合などの方式でインソール５に接続する。
【００２５】
インソール５は、ベース板５１と前部パッド５２とによってなる。ベース板５１の後端、即ち踵が接触する位置には第１凹溝５３を形成する。前部パッド５２は、ベース板５１の前端部であって、靴底の位置に接着する。また、前部パッド５２には第２凹溝５４と第３凹溝５５とを形成する。
【００２６】
第１凹溝５３は、長辺がベース板５１の長手方向に沿った楕円形に近い形状を呈し、中央部を深く、かつ周囲を浅くして、前述するようにベース板５１の後端、即ち、ヒール７の位置に形成する。
【００２７】
第２凹溝５４は、長辺が前部パッド５２の短手方向に沿った角丸長方形を呈し、中央部を深く、かつ周囲を浅くして前部パッド５２の後端側に形成する。
【００２８】
第３凹溝５５は、長辺が前部パッド５２の短手方向に沿った楕円形に近い形状を呈し、中央部を深く、かつ周囲を浅くして前部パッド５２の前端側に形成する。
【００２９】
以上の構成によればこの発明によるハイヒール３には踵側から爪先側に向かって第１凹溝５３、第２凹溝５４、第３凹溝５５の順に凹溝が形成される。
【００３０】
第１凹溝５３には、第１凹溝５３の形状に合わせて形成した軟性の第１パッド５６を設ける。同様に第２凹溝５４には、溝の形状に合わせて形成した軟性の第２パッド５７を、第３凹溝５５には、溝の形状に合わせて形成した軟性の第３パッド５８をそれぞれ設け、これら第１パッド５６、第２パッド５７、第３パッド５８を設けることによってインソール５の上面は平坦な状態になる。
【００３１】
図５、６に開示するように、底面支持板６には、金属材、もしくは複合材によってなるシャンク６ａを設ける。即ち、底面支持板６は、シャンク６ａを埋設して射出成型によって形成する。また底面支持板６は、インソール５の後端側から前端側に向かって延伸し、かつ底面支持板６の前端はインソール５の前端に至る。さらに、インソール５の前端には、底面側から軟性の補助支持板６ｂを接着する。補助支持板６ｂを接着することによって、インソール５の前端部は、柔軟性と、緩衝の作用を具える。
【００３２】
底面支持板６は、前端部６１がインソール５の前部パッド５２と重なりあってインソール５の底面側に設けられる。即ち、底面支持板６の前端部６１は、インソール５の前部パッド５２と重なり合ってインソール５の底面側に設けられる。このため、底面支持板６の前端部６１は、インソール５の底面部５ｂの地面Ｅ１に接触する面積を増加させる。
【００３３】
底面支持板６の後端部６２には複数の固定孔６３を穿設する。また底面支持板６の前端部は、両端が凸起し、中間が凹状に形成される。即ち、底面支持板６の後端部には、第１凸状支持部６１１と、第２凸状支持部６１２と凹状支持部６１３とが形成される。また底面支持板６の前端は、凹状支持部６１３から第１凸状支持部６１１と第２凸状支持部６１２とに向かって厚さが漸増する。即ち、底面支持板６の第１凸状支持部６１１と第２凸状支持部６１２とにおける厚さは、凹状支持部６１３における厚さよりも厚い。
【００３４】
第１凸状支持部６１１と第２凸状支持部６１２は、インソール５の底面部５ｂの地面Ｅ１への接触面積を増加させる。同時に第１凸状支持部６１１と第２凸状支持部６１２との二つの支持点、及び凹状支持部６１３からシャンク６ａに至る支持線とによって、三角形状の力学的支持が形成される。よって、足８の内側縦足弓、外側縦足弓及び横足弓に支持を与えることができる。このため、ハイヒール３ａを履いて立った場合、もしくは歩行時において安定性が得られる。
【００３５】
図４、７に開示するように、ヒール７は所定の高さを具え、上端面を比較的広くして連結部７１とする。連結部７１には、底面支持板６の複数の固定孔６３に対応する位置にそれぞれ凸柱７２を一体に形成する。ヒール７を底面支持板６の後端部６２に接続する場合は、連結部に接着剤を塗布し、かつ凸柱７２を固定孔６３に挿通させて接着する。
【００３６】
ハイヒール３を組み立てる場合は、図７に開示するように、インソール５を底面支持板６に接続し、さらにヒール７を底面支持板６に接続する。また、アッパー４を接着、もしくは縫合などの方式でインソール５に接続して組み立てを完成させる。
【００３７】
図８に、この発明によるハイヒール３の使用態様を開示する。使用者が足８をアッパー４の履き口４１から入れてハイヒール３を履いた場合、足８の踵８１は、インソール５の踵部５ａによって支持される。即ち、足８の踵８１は第１凹溝５３と第１パッド５６上位置して、これらを圧迫する。
【００３８】
足２の足底８２はインソール３の底面部５ｂの位置で支持され、かつ足底８２はインソール５の爪先端５ｃの位置で支持される。
【００３９】
また、足２の爪先８３は、第２凹溝５５と第３凹溝５８上に位置して、これらを圧迫する。さらに、足８の足底弓８４は底面支持板６上に位置する。即ち、底面支持板６の支持によって、足８の足底弓８４はインソール５に緊密に接触する。
【００４０】
したがって、使用者の体重によって第１パッド５６と、第２パッド５７と、第３パッドが押し圧を受けて下方に向かって圧縮し、ハイヒール３のインソール５上に少なくとも３か所の緩衝点が形成される。即ち、第１凹溝５３の前端、つまり第２凹溝５４寄りの位置に第１緩衝点Ａが形成され、第２凹溝５４の前端、つまり第３凹溝寄りの位置に第２緩衝点Ａ１が形成され、第３凹溝５５の前端、つまりインソール５の前端寄りの位置に第３緩衝点Ａ２が形成される。
【００４１】
具体的に述べると、第１緩衝点Ａは足８の踵８１の前端に、第２緩衝点Ａ１は足８の足底の前端に、第３緩衝点Ａ２は足８の爪先８３の前端に、それぞれ対応する位置に形成される。
【００４２】
第１緩衝点Ａと、第２緩衝点Ａ１と、第３緩衝点Ａ２とが形成されることによって、足８がハイヒール３内に在って前方に滑って移動する力を緩衝することができる。よって、足８にハイヒール３内における安全性を高め、履き心地を快適なものにすることができる。
【００４３】
特に、第２緩衝点Ａ１は足８の足底に対応する位置に在って、歩行時における足８の受ける衝撃を完全に吸収することができる。即ち、歩行時において足８の足底８２が全体重によって受ける衝撃を緩衝し、足底８２快適感を達成することができる。
【００４４】
図９に開示するように、足８の足底弓８４は、下方から底面支持板６を具えるインソール５によって支持される。よって、インソール５の底面部５ｂの地面Ｅ１に接触する面積が増大する。このため、インソール５の底面部５ｂの位置において捩じれによる擺動が発生しにくくなり、同時に足底弓８４が好ましい支持を得ることができる。即ち、足８のハイヒール３内における履き心地の良さを改善するとともに、傷害の発生を防ぎ安全性を高めることができる。
【００４５】
この発明によるハイヒール３は、インソール５に第１凹溝５３と第２凹溝５４と第３凹溝５５とを形成し、かつ第１凹溝５３には、第１凹溝５３の形状に合わせて形成した軟性の第１パッド５６を設ける。同様に第２凹溝５４には、溝の形状に合わせて形成した軟性の第２パッド５７を、第３凹溝５５には、溝の形状に合わせて形成した軟性の第３パッド５８をそれぞれ設けることによって、インソール５には複数の」緩衝点が形成され、足８がハイヒール３内において滑って前方に移動する理からを緩衝することができる。このため、履き心地を改善し、安全性を高めることができる。
【００４６】
また、第２緩点Ａ１が足８の足底８２に対応する位置に形成されるため、歩行時における衝撃を完全に吸収することができる。よって、足底８２が体重による衝撃を受けることなく、足底８２快適感を達成することができる。
【００４７】
さらに、この発明によるハイヒール３はインソール５の底面側に底面支持板６を設け、かつ底面支持板６の前端部６１は、インソール５の前部パッド５２と重なり合ってインソール５の底面側に設けられる。このため、底面支持板６の前端部６１は、インソール５の底面部５ｂの地面Ｅ１に接触する面積を増加させる。このため、インソール５の底面部５ｂの位置において捩じれによる擺動が発生しにくくなり、同時に足底弓８４が好ましい支持を得ることができる。即ち、足８のハイヒール３内における履き心地の良さを改善するとともに、傷害の発生を防ぎ安全性を高めることができる。
【００４８】
また、底面支持板６の後端部６２には複数の固定孔６３を穿設し、かつヒール７上端面を比較的広くして連結部７１とし、底面支持板６の複数の固定孔６３に対応する位置にそれぞれ凸柱７２を一体に形成する。ヒール７を底面支持板６の後端部６２に接続する場合は、連結部に接着剤を塗布し、かつ凸柱７２を固定孔６３に挿通させて接着する。よってヒール７は極めて安定して底面支持板６に位置決めされ、固定される。このため、ヒール７が手面固定板６から外れることがなく、ヒール７のハイヒール３における効果を十分に達成することができる。
【００４９】
さらに、底面支持板６の前端部は、両端が凸起し、中間が凹状に形成される。即ち、底面支持板６の後端部には、第１凸状支持部６１１と、第２凸状支持部６１２と凹状支持部６１３とが形成される。また底面支持板６の前端は、凹状支持部６１３から第１凸状支持部６１１と第２凸状支持部６１２とに向かって厚さが漸増する。即ち、底面支持板６の１凸状支持部６１１と第２凸状支持部６１２とにおける厚さは、凹状支持部６１３における厚さよりも厚い。即ち、第１凸状態支持部６１１と第２凸状支持部との二つの支持点、及び凹状支持部６１３からシャンク６ａに至る支持線とによって、三角形状の力学的支持が形成される。よって、足８の内側縦足弓、外側縦足弓及び横足弓に支持を与えることができる。このため、ハイヒール８を履いて立った場合、もしくは歩行時において安定性が得られる
【符号の説明】
【００５０】
１                   ハイヒール
１ａ          底面部
１１          アッパー
１２          インソール
１２１        軟性パッド
１３          アウトソール
１３１        シャンク
１４          ヒール
２                   足
２１          踵
２２          足底
３                   ハイヒール
４                   アッパー
４１          履き口
５                   インソール
５ｂ          底面部
５ｃ          爪先端
５１          ベース板
５２          前部パッド
５３          第１凹溝
５４          第２凹溝
５５          第３凹溝
５６          第１パッド
５７          第２パッド
５８          第３パッド
６                   底面支持板
６ａ          シャンク
６ｂ          補助支持板
６１          前端部
６１１        第１凸状支持部
６１２        第２凸状支持部
６１３        凹状支持部
６２          後端部
６３          固定孔
７                   ヒール
７１          連結部
７２          凸柱
８                   足
８１          踵
８２          足底
８３          爪先
８４          足底弓
Ａ                   第１緩衝点
Ａ１          第２緩衝点
Ａ２          第３緩点
Ｅ                   地面
Ｅ１          地面
【図１】
2015130930.tif 000003
【図２】
2015130930.tif 000004
【図３】
2015130930.tif 000005
【図４】
2015130930.tif 000006
【図５】
2015130930.tif 000007
【図６】
2015130930.tif 000008
【図７】
2015130930.tif 000009
【図８】
2015130930.tif 000010
【図９】
2015130930.tif 000011